(57)【特許請求の範囲】
【請求項１】
食品用の容器であって、
底部と、該底部外周より立設される胴部と、該胴部上端に形成される開口部と、該開口部から外方へ延設されるフランジ部とを有する容器本体と、
該開口部を覆い、該フランジ部に熱溶着されるシール蓋本体と、該シール蓋本体と連続するタブ部とを有するシール蓋と
を備え、
該容器本体は、該タブ部に対応して、該フランジ部の一部より、下方に傾斜するように延設される延設部を有し、
前記フランジ部の外周部および前記シール蓋本体の外周部は、矩形であり、
前記延設部は、該フランジ部の外周部の矩形の一辺において連続しており、
前記タブ部は、該シール蓋本体の外周部の矩形の一辺において連続しており、
前記延設部と前記タブ部との間には、該フランジ部の外周部の矩形の一辺および該シール蓋本体の外周部の矩形の一辺に対応して、指が挿入可能なクリアランスが形成され、
前記タブ部の中央を摘まむことが可能である
ことを特徴とする容器。
【請求項２】
前記フランジ部の外周部のうち前記延設部が延設されていない範囲と、前記シール蓋本体の外周部のうち前記タブ部が連続していない範囲とが、一致しており、
前記フランジ部と前記シール蓋本体とは、少なくとも該外周の一致範囲にて熱溶着されている
ことを特徴とする請求項１記載の容器。
【請求項３】
前記フランジ部の内周部のうち前記延設部に対応して、外方へ突出する烏口が形成されている
ことを特徴とする請求項１または２記載の容器。
【請求項４】
前記烏口および前記フランジ部の内周部のうち前記烏口に対応していない範囲に沿って、強シール部が設けられ、
該強シール部より内側であって、該烏口に対応している範囲に、該強シール部より溶着の弱い第１弱シール部が設けられ、
該強シール部より外側に、該強シール部より溶着の弱い第２弱シール部が設けられる
ことを特徴とする請求項３記載の容器。
【請求項５】
前記開口部を介して内容物を容器に充填し、
前記シール蓋本体と前記フランジを溶着し、
前記フランジ部の外周部のうち前記延設部が延設されていない範囲を所定幅切断する
ことを特徴とする請求項２記載の容器の製造方法。
【発明の詳細な説明】
【技術分野】
【０００１】
本発明は、容器および容器の製造方法に関する。
【背景技術】
【０００２】
食品等は樹脂製の包装用容器に密封されて流通する。容器は、容器本体とシール蓋とから構成される。容器本体は、底部と胴部とフランジ部とから構成される。シール蓋は、フランジ部に熱溶着される。
【０００３】
一般的な食品の製造および流通について説明する。容器成形工場にて、容器本体とシール蓋が成形され、容器成形工場から食品工場に出荷される。食品工場にて、内容物が充填され、フランジ部とシール蓋とが熱溶着され、内容物は密封される。この状態で、商品として、食品工場から販売店に出荷される。消費者は、販売店で商品を購入し、シール蓋を剥して内容物を食す。
【０００４】
食品を扱う場合は、雑菌の混入を防ぐ等、特に衛生面についても配慮が必要である。また、食品がゼリーや羊羹など半固形状の場合は容器から漏れやすい。従って、容器の基本性能として剥がれにくいこと（密封性）が重要である。
【０００５】
一方、食品は日常的に食されるものであり、消費者は、剥がしやすいこと（開封性）を期待している。このように、容器には密封性と開封性の相反する性能が要求されており、２つの性能をバランスよく実現することが重要である。
【０００６】
この課題に対し、従来より様々な技術が提案されている。例えば、容器のフランジ等を基層および剥離層を含む多層構造とする。フランジとシール蓋とを強接着することにより、密封性を確保する。一方、開封時には、容器から剥離層がシール蓋と一緒にはがれることにより、開封性を確保する(特許文献１）。
【０００７】
しかしながら、特許文献１の容器は、構成が複雑であることから、製造コストを無視できず、一般に汎用されているとは言い難い。実際は、溶着面積を増やすなどシール強度を高めることにより密封性を確保するとともに、シール蓋外縁に小さな舌状のタブを延設することで開封性を実現することが一般的である(特許文献２）。消費者は、一方の手の指で容器を掴み、他方の手の指でタブを摘み、引き上げて、シール蓋を剥す。
【０００８】
食品工場から販売店への運搬時にタブ同士またはタブと隣の容器とが接触しあって、タブを介してシール蓋が剥がれ、内容物が漏れるおそれがある。また、内容物の漏れがなくとも、タブが折れたり曲がったりしただけで、商品価値がなくなる。また、タブが大きすぎると全体の美観を損ねる。したがって、タブはなるべく小さいことが好ましい。
【先行技術文献】
【特許文献】
【０００９】
【特許文献１】特開２００９−３４９８６号公報
【特許文献２】特開２００４−０２６２２２号公報
【発明の概要】
【発明が解決しようとする課題】
【００１０】
ところで、近年、高齢化社会が急速に進み、その対応が求められている。つまり、高齢者以外の一般消費者では問題なくできる動作でも、高齢者は身体機能が全般的に低下しており不自由を感じることもある。
【００１１】
たとえば、高齢者以外の消費者は問題なく比較的小さなタブを摘める。しかし、高齢者にとっては、タブが小さ過ぎて上手く摘めないこともある。仮に掴めてもタブが小さ過ぎて上手く力が伝わりにくい。さらに、視覚の老化が進むとタブが小さ過ぎて、タブの位置も分からないこともある。タブの位置がわからないと、どこから開けてよいのか混乱する。
【００１２】
開封位置や開封方法をシール蓋に大きく表示することも考えられるが、商品名称等を大きく表示する必要や、デザイン状の制約もあり、開封位置等の表示サイズには限界がある。
【００１３】
このように、従来の一般的な容器は、高齢者にとって開封しにくいものであった。
【００１４】
本発明は、上記課題を解決するものであり、高齢者を含む全ての消費者に使いやすい容器を提供することを目的とする。
【課題を解決するための手段】
【００１５】
上記の目的を達成するために、本発明の容器は、容器本体とシール蓋とを備える。容器本体は、底部と、該底部外周より立設される胴部と、該胴部上端に形成される開口部と、該開口部から外方へ延設されるフランジ部とを有する。シール蓋は、該開口部を覆い、該フランジ部に熱溶着されるシール蓋本体と、該シール蓋本体と連続するタブ部とを有する。延設部は、該タブ部に対応して、該フランジ部の一部より、下方に傾斜するように延設される。
【００１６】
延設部は下方傾斜しているのに対し、タブ部は水平である。これにより、延設部とタブ部との間に、クリアランスが形成される。タブ部を相対的に大きくできる。これにより、視覚的および触覚的に開封を誘導できる。
【００１７】
上記発明において好ましくは、前記フランジ部の外周部のうち前記延設部が延設されていない範囲と、前記シール蓋本体の外周部のうち前記タブ部が連続していない範囲とが、一致しており、前記フランジ部と前記シール蓋本体とは、少なくとも該外周の一致範囲にて溶着されている。
【００１８】
これにより、より確実に、視覚的および触覚的に開封を誘導できる。
【００１９】
上記発明において好ましくは、前記フランジ部の外周部および前記シール蓋本体の外周部は、多角形であり、前記延設部は、該フランジ部の外周部の多角形の一辺において連続しており、前記タブ部は、該シール蓋本体の外周部の多角形の一辺において連続している。
【００２０】
本発明は四角形を含む多角形の容器に適用できる。
【００２１】
上記発明において好ましくは、前記フランジ部の内周部のうち前記延設部に対応して、外方へ突出する烏口が形成されている。
【００２２】
これにより、相対的に大きなタブ部中央を摘まんで、容易に開封できる。
【００２３】
上記発明において好ましくは、前記烏口および前記フランジ部の内周部のうち前記烏口に対応していない範囲に沿って、強シール部が設けられ、該強シール部より内側であって、該烏口に対応している範囲に、該強シール部より溶着の弱い第１弱シール部が設けられ、該強シール部より外側に、該強シール部より溶着の弱い第２弱シール部が設けられる。
【００２４】
これにより、開封性および密封性を向上できる。
【００２５】
上記発明において好ましくは、前記開口部を介して内容物を容器に充填し、前記シール蓋本体と前記フランジを溶着し、前記フランジ部の外周部のうち前記延設部が延設されていない範囲を所定幅切断する。
【００２６】
これにより、確実に、フランジ部の外周部のうち記延設部が延設されていない範囲と、シール蓋本体の外周部のうちタブ部が連続していない範囲とが、一致する。また、確実に、フランジ部とシール蓋本体とは、外周の一致範囲まで溶着されている。
【発明の効果】
【００２７】
本発明によれば、開封位置が明確であり、高齢者でも容易に認識でき、容易にタブを摘める。その結果、本願容器は高齢者を含む全ての人に使いやすい。
【図面の簡単な説明】
【００２８】
【図１】容器の概略構成
【図２】容器本体の概略構成（第１実施形態）
【図３】容器本体の概略構成（第２実施形態）
【図４】容器の製造方法の説明図
【図５】開封動作説明図（一般消費者）
【図６】開封動作説明図（高齢者）
【図７】開封動作説明図（高齢者）
【図８】開封動作説明図（高齢者）
【図９】配列状態説明図
【図１０】容器フランジ部の概略構成（第３実施形態）
【図１１】容器本体の概略構成（第４実施形態）
【図１２】容器本体の概略構成（第４実施形態）
【図１３】容器本体の概略構成（第５実施形態）
【図１４】容器本体の概略構成（第６実施形態）
【図１５】容器本体の概略構成（第６実施形態）
【発明を実施するための形態】
【００２９】
以下、図面を参照にしながら、本発明の実施形態を説明する。
【００３０】
〜第１実施形態構成〜
図１は、第１実施形態に係る容器の概略構成図である。第１実施形態の容器は矩形である。容器は、容器本体１とシール蓋２を備える。図２は、第１実施形態に係る容器本体１の概略構成図である。
【００３１】
容器本体１は、基本構成として、底部１１と、胴部１２と、フランジ部１４とを有する、樹脂製容器である。底部１１は矩形である。胴部１２は底部１１の外周四辺よりやや外方に傾斜しつつ立設される。胴部１２上端に矩形の開口部１３が形成される。フランジ部１４は開口部１３から外方へ延設される。フランジ部１４の外周部は矩形１４ａ〜ｄである。
【００３２】
シール蓋２は、シール蓋本体２１とタブ部２２とを有する。シール蓋本体２１は、開口部１３を覆い、フランジ部１４に熱溶着される。シール蓋本体２１の外周部は矩形２１ａ〜ｄである。タブ部２２はシール蓋本体２１の一辺２１aにおいて連続する。タブ部２２はフランジ部１４には熱溶着されない。説明の便宜上、シール蓋２をシール蓋本体２１とタブ部２２とに分けたが、実際は一枚のフラットな樹脂製フィルムである。たとえば、サポート層にPET等がラミネートされているとよく、サポート層はPET(2μm)/NY(15μm)から構成される。
【００３３】
さらに、容器本体１は特徴的構成として、延設部１５を有する。延設部１５はフランジ部の一辺１４ａより、下方に傾斜するように延設される。略平面視において、延設部１５はタブ部２２に対応する位置にある。
【００３４】
すなわち、延設部１５は下方傾斜しているのに対し、タブ部２２は水平である。これにより、延設部１５とタブ部２２との間に、クリアランス３が形成される。
【００３５】
〜第２実施形態構成〜
第１実施形態においてはクリアランス３を特徴とし、シール蓋本体２１とフランジ部１４との熱溶着の詳細は問わなかった。第２実施形態構成は第１実施形態においてさらにシール蓋本体２１とフランジ部１４との熱溶着を限定するものである。
【００３６】
フランジ部１４の外周部のうち延設部１５が延設されていない三辺１４ｂ〜ｄと、シール蓋本体２１の外周部のうちタブ部２２が連続していない三辺２１ｂ〜ｄとが、略平面視において一致、すなわち形と大きさが同一な形状をしている。
【００３７】
フランジ部１４とシール蓋本体２１とは、少なくとも外周の一致範囲１４ｂ〜ｄ，２１ｂ〜ｄにて熱溶着されている。
【００３８】
図３は、第２実施形態の一例である容器本体１の概略構成図である。
【００３９】
フランジ部１４上面に開口部１３を囲むように、断面凸状のシール凸部１６が設けられており、シール蓋本体２１とフランジ部１４とが熱溶着されると、シール凸部１６に対応して強シールが形成される。
【００４０】
シール凸部１６が形成する環状の外側からフランジ部外周１４a〜ｄまで、弱シール部１７が形成される。弱シール部１７は、例えばローレット形状のように接着部と非接着部が混在している形状などが考えられる。
【００４１】
強シールは内容物を密閉し、弱シールはシール蓋本体２１がフランジ部外周１４a〜ｄから捲れることを防止する。
【００４２】
シール凸部１６は開口部１３に近いほうが好ましく、開口部１３の際に設けるのが特に好ましい。
【００４３】
シール凸部１６が開口部１３に近いほど、タブ部２２とシール凸部１６との距離が離れることとなり、タブ部２２より開封する時に大きなモーメントが作用し、少ない力で開封することができるようになる。
【００４４】
また、シール凸部１６が開口部１３に近いほど、強シールを剥がす際に加える力が、フランジ部１４を屈曲させる力へと分散されることが少なくなるので、より少ない力で開封することができるようになる。
【００４５】
本実施形態では、シール凸部１６は開口部１３の際に設けられている。
【００４６】
図４は、製造方法の一例を説明する図である。
【００４７】
一般的に、容器成形工場にて、容器本体とシール蓋が成形され、容器成形工場から食品工場に出荷される。食品工場にて、内容物が充填され、フランジ部とシール蓋とが熱溶着され、内容物は密封される。この状態で、商品として、食品工場から販売店に出荷される。
【００４８】
これに対し本実施形態では、容器成形工場にて、フランジ部が一回り大きな容器本体とシール用フィルムが成形され、容器成形工場から食品工場に出荷される。
【００４９】
食品工場にて、内容物が充填され、一回り大きなフランジ部とシールフィルムとが熱溶着され、内容物は密封される。
【００５０】
さらに、カットライン４１にて、シートフィルムとフランジ部が一体に打ち抜かれる。不要部４２が取り除かれる。これにより、フランジ部１４の外周三辺１４ｂ〜ｄとシール蓋本体２１の三辺２１ｂ〜ｄとが一致し、一致範囲１４ｂ〜ｄ，２１ｂ〜ｄまで精度よく確実に溶着される。
【００５１】
この状態で、商品として、食品工場から販売店に出荷される。
【００５２】
〜開封動作〜  
本発明は、上記課題を解決するものであり、高齢者を含む全ての消費者に使いやすい容器を提供することを目的とする。従って高齢者以外の一般消費者も対象にする。
【００５３】
図５は、一般消費者の開封動作の一例を説明する図である。一般的な従来型容器と同様に開封しても良い。
【００５４】
左手の親指、人差し指、中指の腹で胴部１２の両側を支え、右手でタブ部２２の図示左端を摘み、図示斜め右上方向に引き上げる。
【００５５】
フランジ部図示手前左側および手前右側二辺の溶着が剥がれた後に、引き続いてフランジ部図示奥左側および奥右側二辺の溶着が剥がれる。
【００５６】
図示は右利きを想定しているが、左利きが右端を摘んで開封することもできる。
【００５７】
一方、高齢者は身体機能が全般的に低下しており、指の腹で胴部１２を支える動作やタブ部２２の端を摘む動作が難しいこともある。
【００５８】
図６は、高齢者の開封動作の一例を説明する図である。
【００５９】
底部１１を左手掌中央に載せ、フランジ部外周１４ｂを拇指球に軽く食い込ませるとともに、中指および薬指を反対側のフランジ部裏に当接させる。これにより、容器は確実に支持される。
【００６０】
右手親指をクリアランス３に挿入し、タブ部２２中央を摘み、図示手前から奥側へ斜め上（左右中央）方向に引き上げる。
【００６１】
弱シールが剥がれた後は、シール凸部１６に掛かるモーメントを利用することにより、強シールが剥がれる。これにより、フランジ部１４手前側の溶着が剥がれる。引き続いて、フランジ部１４両側の溶着が剥がれた後、フランジ部１４奥側の溶着が剥がれる。
【００６２】
上記動作を実現するためには、本実施形態の容器を適切なサイズとすることも重要である。発明の理解を補助するように、想定サイズを例示する。
【００６３】
底部は、３０×３０〜５０×５０ｍｍであると好ましい。なお、底部は掌に載りやすいように、極端な偏りのない形状（例えば正方形）が好ましい。
【００６４】
フランジ幅５〜１５ｍｍ、フランジまでの高さ１５〜３０ｍｍが好ましい。延設部の水平長さは５〜１５ｍｍ、延設部下がり高は２〜６ｍｍが好ましい。
【００６５】
開口部１３からシール凸部までの距離は０〜５ｍｍが好ましい。
【００６６】
図７は別動作例を説明する図である。
【００６７】
底部１１を左手掌中央に載せ、フランジ部外周１４ｃを拇指球に軽く食い込ませるとともに、中指および薬指を反対側のフランジ部裏に当接させる。これにより、容器は確実に支持される。
【００６８】
右手中指をクリアランス３に挿入し、タブ部２２中央を摘み、図示右側から左側へ斜め上（前後中央）方向に引き上げる。
【００６９】
弱シールが剥がれた後は、シール凸部１６に掛かるモーメントを利用することにより、強シールが剥がれる。これにより、フランジ部１４右側の溶着が剥がれる。引き続いて、フランジ部１４前側および後側の溶着が剥がれた後、フランジ部１４左側の溶着が剥がれる。
【００７０】
図８は別動作例を説明する図である。
【００７１】
底部１１を左手掌中央に載せ、フランジ部外周１４ｄを拇指球に軽く食い込ませるとともに、中指および薬指を反対側のフランジ部裏に当接させる。これにより、容器は確実に支持される。
【００７２】
右手中指をクリアランス３に挿入し、タブ部２２中央を摘み、図示奥側から手前側へ斜め上（左右中央）方向に引き上げる。
【００７３】
弱シールが剥がれた後は、シール凸部１６に掛かるモーメントを利用することにより、強シールが剥がれる。これにより、フランジ部１４奥側の溶着が剥がれる。引き続いて、フランジ部１４両側の溶着が剥がれた後、フランジ部１４手前側の溶着が剥がれる。
【００７４】
以上のように、高齢者を対象にすれば、開封方法は限定される。
【００７５】
〜第１実施形態・第２実施形態の効果〜
フランジ三辺１４の幅に比べて、延設部１５を含めたフランジ一辺１４ａでのフランジ幅が明確に広い。また、タブ部２２は、フランジ外周一辺１４ａに対応して設けられていることにより、タブが相対的に大きくなる。
【００７６】
このような容器上面形状の明確な偏りにより、多少視覚が老化した高齢者に対してでも、視覚的に開封を誘導できる。
【００７７】
タブ部２２は、シール蓋本体外周一辺２１ａ（フランジ部外周一辺１４ａ）に対応して設けられている。これによりタブが相対的に大きくなるため、摘みやすい。また、タブ２２を摘む際は、クリアランス３に指を挿入する。延設部１５がガイドとして機能するため、摘みやすい。
【００７８】
一方、容器外周三辺１４ｂ〜ｄ，２１ｂ〜ｄは熱溶着されており、開封不能になっている。また、底部１１を掌に載せれば、開封方法は限定される（図６〜図８参照）。
【００７９】
このような明確な開封容易性の相違により、視覚が老化した高齢者に対してでも、触覚的に開封を誘導できる。
【００８０】
ところで、商品運搬の際、延設部１５が外的な損傷要因からタブ２２を保護するように機能する。従って、タブ２２が相対的に大きくても、商品運搬の際、問題とならない。
【００８１】
第２実施形態の一例（図３）では、タブ２２近接箇所は弱シールされている。したがって、比較的弱い力で弱シールを剥がすことができる。
【００８２】
一方、開口部１３の際はシール凸部１６により強シールされている。すなわち、タブ２２と強シールとの間には、一定の距離が確保される。これにより大きなモーメントが作用する。このモーメント作用および弱シールを剥がした際の付勢力を利用して、強シールを剥がすことができる。また、強シールの位置が開口部１３の際に設けられているので、強シールを剥がす力がフランジ部１４を曲げる力に分散するようなロスが少ない。
【００８３】
このように、タブ２２中央を摘んで、フランジ部中央からでも、容易に開封できる。
【００８４】
なお、開口部１３近接箇所は強シールされていることにより、密封性が向上する。
【００８５】
〜配列状態〜
本実施形態の容器は、１つ１つ個別に用いられることもあるが、内容物がゼリーのような洋菓子や羊羹のような和菓子である場合は、複数個配列され箱詰めされて、贈答用として用いられることもある。
【００８６】
このとき、隙間なく容器配列されていると、箱のなかで容器がガタつかず、また、箱自体がコンパクトになるため好ましい。
【００８７】
また、隙間なく容器配列されていると、中身がギッシリ詰まっている美観を形成し、贈答品としての高級感が向上する。また、各容器が集合すると一つの画像を形成するといった遊び心を付加することもできる。
【００８８】
しかしながら、容器を隙間なく配列すると、各容器を箱から取り出しにくいという課題がある。
【００８９】
図９は、本実施形態の容器配列状態と容器取り出し動作を説明する図である。
【００９０】
例えば３×３個の容器をほぼ隙間なく配列し箱詰めした状態から１つの容器を取り出そうとするときの動作を説明する。
【００９１】
取り出し対象に隣接する容器に着目する。タブ２２の下にはクリアランス３が形成されている。従って、隣接する容器のタブ２２を上方から押すとフィルムが撓む。
【００９２】
これにより、取り出し対象の容器のフランジ１４の裏に指を掛けることができる。さらに、取り出し対象を若干傾斜させ、フランジ部を掴んで取り出す。
【００９３】
このように、本実施形態の容器は、隙間なく配列しても、容易に容器を取り出せる。また、延設部１５のサイズを考慮しても、充分にコンパクトな箱詰めが可能である。
【００９４】
〜第３実施形態〜
第３実施形態は、第２実施形態の延設部１５に対向する位置のシール凸部１６の形状を変更するものである。図１０は、本実施形態のフランジ部の概略構成図である。
【００９５】
シール凸部１６のうち延設部１５に対向する箇所は、外方へ突出し、烏口１８が形成されている。したがって、フランジ部１４の内周部のうち烏口１８に対応していない範囲、すなわち烏口１８が形成されていないシール凸部１６と烏口１８に沿って、強シールが形成される。
【００９６】
烏口１８の内側、すなわち開口部１３側には内側弱シール部１９（第１弱シール）が形成される。第１弱シールは、例えばローレット形状のように接着部と非接着部が混在している形状などが考えられる。第１弱シールは烏口相当位置に形成されるポケットに内容物が入り込むことを防止する。
【００９７】
シール凸部１６が形成する環状の外側からフランジ部外周１４ａ〜ｄまで弱シール部１７（第２弱シール）が形成されている。第２弱シールは、例えばローレット形状のように接着部と非接着部が混在している形状などが考えられる。
【００９８】
第1弱シールと強シールを同時に形成し、その後、第２弱シールが形成されるのが好ましい。第１弱シールと強シールを同時に形成することで、満杯充填により内容物が第１弱シール部へ漏れ出てくるのを確実に防止できる。
【００９９】
第１弱シールと強シール、第２弱シールは以下のように形成される。まず第１弱シールにあたる箇所にローレット形状を施した熱板を用意し、熱板と平らなシール受け板の間にシール蓋２とフランジ部１４を挟んで熱溶着させて、第１弱シールと強シールを形成し、その後第２弱シールにあたる箇所にローレット形状を施した熱板を用いて、同様に熱溶着させることで、第２弱シール部が形成される。このように簡易な工程で強シールと弱シールを実現できる。
【０１００】
第３実施形態においても、右手親指をクリアランス３に挿入し、タブ部２２中央を摘み、図示手前から奥側へ斜め上（左右中央）方向に引き上げる。
【０１０１】
タブ２２に近接する第２弱シールが一部剥がれた後、剥がす力は烏口１８により左右の強シールが剥がれる方向に分散され、強シールが剥がれはじめるとともに、第１弱シールおよび第２弱シールが剥がれる。引き続いて、フランジ両側の溶着が剥がれた後、フランジ奥側の溶着が剥がれる。
【０１０２】
このように、烏口１８により、タブ２２中央を摘んで、フランジ部中央からでも、容易に開封できる。
【０１０３】
〜第４実施形態〜
第４実施形態は、第１〜３実施形態の底面形状を変更するものである。図１１は、本実施形態の容器本体の概略構成図である。図１２は、本実施形態の別例である。
【０１０４】
第４実施形態も第１〜３実施形態の特徴的構成を有する。また、第４実施形態も第１〜３実施形態と同様に矩形容器である点で共通する。したがって、第４実施形態も第１〜３実施形態と同様な効果を有する。
【０１０５】
一方で、図１１の底面部は略円形であり、図１２の底面部は略六角形である。これにより、胴部１２を形成する平面が増えるとともに、平面と平面が形成する稜線も増える。
【０１０６】
ここで、内容物がゼリーや羊羹など半固形状であるとし、容器を逆さまにして内容物を皿の上に出すことを考える。稜線付近では僅かな容器変形により、容器と内容物の間に空気が入りやすくなる。これにより、容易に内容物を皿の上に出すことができる。
【０１０７】
〜第５実施形態〜
第１〜４実施形態のフランジ部は矩形（四角形）であったが、これに限定されず、四角形以外の多角形であってもよい。図１３は、本実施形態の容器本体の概略構成図である。
【０１０８】
第５実施形態のフランジ部は六角形であり、底部は八角形である。
【０１０９】
さらに、第１〜４実施形態と同様に、延設部を有する。延設部はフランジ部の外周一辺より、下方に傾斜するように延設される。シール蓋が熱溶着されると、略平面視において、延設部はタブ部に対応する位置にある。
【０１１０】
第５実施形態も第１〜４実施形態の特徴的構成である延設部を有する。したがって、第５実施形態も第１〜４実施形態と同様な効果を有する。
【０１１１】
〜第６実施形態〜
第１〜５実施形態のフランジ部は矩形を含む多角形であったが、これに限定されず、略円形や略楕円形であってもよい。図１４は、本実施形態の容器本体の概略構成図である。図１５は、本実施形態の別例である。
【０１１２】
図１４のフランジ部は円形であり、底部は八角形である。図１５のフランジ部は円形であり、底部は円形である。
【０１１３】
さらに、第１〜５実施形態と同様に、延設部を有する。延設部はフランジ部の外周一部より、下方に傾斜するように延設される。シール蓋が熱溶着されると、略平面視において、延設部はタブ部に対応する位置にある。
【０１１４】
第６実施形態も第１〜５実施形態の特徴的構成である延設部を有する。したがって、第６実施形態も第１〜５実施形態と同様な効果を有する。
【符号の説明】
【０１１５】
１  容器本体
２  シール蓋
３  クリアランス
１１  底部
１２  胴部
１３  開口部
１４  フランジ部
１５  延設部
１６  シール凸部
１７  弱シール部
１８  烏口
１９  内側弱シール部
２１  シール蓋本体
２２  タブ部
４１  カットライン
４２  不要部
【図１】
0006680592.tif 000002
【図２】
0006680592.tif 000003
【図３】
0006680592.tif 000004
【図４】
0006680592.tif 000005
【図５】
0006680592.tif 000006
【図６】
0006680592.tif 000007
【図７】
0006680592.tif 000008
【図８】
0006680592.tif 000009
【図９】
0006680592.tif 000010
【図１０】
0006680592.tif 000011
【図１１】
0006680592.tif 000012
【図１２】
0006680592.tif 000013
【図１３】
0006680592.tif 000014
【図１４】
0006680592.tif 000015
【図１５】
0006680592.tif 000016